(57)【特許請求の範囲】
【請求項１】
開口部(18)を画定している最上自由縁部(8)を含む、製品のボトル(2)と、ステム(5)の第1の端部に配置されているハンドル(40)を含む取外し可能なキャップ(4)とを含む、長手方向軸Xの化粧デバイスにおいて、前記ステム(5)の第2端部が塗布部材(6)に固定されており、前記ステム(5)は、前記塗布部材(6)が前記ボトル(2)から出現し得る開位置と、前記塗布部材(6)が前記ボトル(2)内に格納される閉位置との間で、前記ボトル(2)上に配置されている第2の補完レリーフ(310、311)に取外し可能に係合することができる第1のレリーフ(29、49)を含み、
前記ボトル(2)は、リザーバ(1)上に取り付けられているカラー(3)を含み、前記第２の補完レリーフ(310、311)は前記カラー(3)の上端に配置されていることを特徴とする、化粧デバイス。
【請求項２】
前記第2の補完レリーフ(310、311)は前記ボトル(2)の前記最上自由縁部(8)から延在していることを特徴とする、請求項1に記載の化粧デバイス。
【請求項３】
前記第2の補完レリーフ(310、311)は、前記長手方向軸Xに対して垂直に前記ステム(5)の外へ延在していることを特徴とする、請求項1または2に記載の化粧デバイス。
【請求項４】
前記ボトル(2)はネック(22)を含み、前記第2の補完レリーフ(310、311)は前記ネック(22)上に配置されることを特徴とする、請求項1から3のいずれか一項に記載の化粧デバイス。
【請求項５】
前記ボトル(2)の前記第2の補完レリーフ(310、311)は陥凹部を含むことを特徴とする、請求項1から４のいずれか一項に記載の化粧デバイス。
【請求項６】
前記ステム(5)の前記第1のレリーフ(29、49)は突出部を含むことを特徴とする、請求項1から５のいずれか一項に記載の化粧デバイス。
【請求項７】
前記ボトル(2)の前記第2の補完レリーフ(310、311)は、高位置と低位置との間での、前記長手方向軸Xに平行な、前記ステム(5)の前記第1のレリーフ(29、49)の動きを誘導するのに適した滑動縁部を含む滑動経路を画定していることを特徴とする、請求項1から６のいずれか一項に記載の化粧デバイス。
【請求項８】
前記滑動経路は、少なくとも2つの異なる一般的な方向にまたは外形で延在している2つの滑動経路区域を含むことを特徴とする、請求項７に記載の化粧デバイス。
【請求項９】
前記ボトル(2)は、前記ステム(5)の周囲に延在しているソケット(30)を含むことを特徴とする、請求項1から８のいずれか一項に記載の化粧デバイス。
【請求項１０】
前記ボトル(2)は、長手方向軸Xに関して互いに対称的に対向した2つの第2の補完レリーフ(310、311)を含むことを特徴とする、請求項1から９のいずれか一項に記載の化粧デバイス。
【請求項１１】
前記キャップ(4)は、バイオネットシステム、スナップ式システムまたはクリップ留めシステムにより、前記ボトル(2)上に取外し可能に取り付けられていることを特徴とする、請求項1から１０のいずれか一項に記載の化粧デバイス。
【請求項１２】
化粧製品のボトル(2)上に取り付けられるのに適した取外し可能なキャップ(4)であって、ステム(5)の第1の端部に配置されているハンドル(40)を含み、前記ステム(5)の第2の端部が塗布部材(6)に固定されており、第1のレリーフ(29、49)は前記ステム(5)上に配置されており、前記ボトル(2)の第2の補完レリーフ(310、311)に機械的に係合することが可能であり、
前記ボトル(2)は、リザーバ(1)上に取り付けられているカラー(3)を含み、前記第２の補完レリーフ(310、311)は前記カラー(3)の上端に配置されていることを特徴とする、取外し可能なキャップ(4)。
【請求項１３】
ステム(5)の第1のレリーフ(29、49)をボトル(2)の第2の補完レリーフ(310、311)内にスナップ嵌めすることによる、請求項1から１１のいずれか一項に記載の化粧デバイスの開放および閉鎖を含む、化粧方法。
【発明の詳細な説明】
【技術分野】
【０００１】
化粧製品を塗布するために、いくつかの種類のデバイスが存在する。それらのうちのいくつかは、製品を保持するためのボトルと、ボトルを閉鎖しかつ製品を含有するためのキャップと、ステムの端部において突出している塗布部材とで構成されている。本発明は、簡易化された封止キャップ、およびそれを装備されている化粧デバイスに関する。
【０００２】
化粧製品は、マスカラ、アイライナ、ファンデーション、頬紅、アイシャドー、口紅、リップグロスまたはリップバームなどのお手入れ製品またはメイクアップ製品であり得る。
【０００３】
本発明の意味の範囲内で、「化粧製品」は、人間に塗布されることを目的としている化粧製品、たとえば粉末、液体もしくはクリームなどの固体、であると理解されるべきである。「化粧製品」は、より一般的に、化粧品に関する、2009年11月30日付けの欧州議会および理事会のEC規則No 1223/2009において定義されている製品である。
【背景技術】
【０００４】
管状キャップ体で構成されている化粧デバイス用の封止キャップが、化粧品業界において広く使用されている。通例、封止キャップが完全に閉鎖された場合、それは、化粧品容器を確実に封止するために、ボトルネックにまたはこのネックから突出しているストリッパの外縁に押し付けられる。
【０００５】
このために必要な封止圧力を可能な限り便利にかけることが可能であるために、キャップ体は、通常はその内周面上に、キャップ体により包囲される開放空間内へ径方向に比較的遠くに突出しているねじ山外形を設けられている。
【０００６】
しかし、封止キャップの真に効果的な製造方法でねじ山が立っていることが長く知られている。金型から完成した射出成形封止キャップを除去するために、2つの金型半片が封止キャップの長手方向軸に平行な方向に互いに引き離される。しかし、封止キャップは完全に自由でなく、金型半片に付着したままになる可能性がある。
【０００７】
同様の問題が、実際にはねじ山外形を有さず、代わりにバイオネットクロージャを有する封止キャップの製造において生じ得る。そのようなクロージャは、キャップ体により包囲される開放空間内へ径方向に比較的遠くに、キャップから突出している保持用突出部と同様に作用する。
【０００８】
米国特許出願公開第2011222955号が、クリックアンドクローズ(click-and-close)クロージャまたはバイオネットにより容器に接続される封止キャップを製造するための射出成形プラスチック方法を開示している。射出成形は、除去手順のために、金型の少なくとも2つの部分が、デバイスの長手方向軸の方向に互いから離れ得るように、具体的に設計されている。金型を合わせるために、クリックアンドクローズクロージャまたはバイオネットの一部がハンドルから突出しており、他方はボトルから突出している。それにも関わらず、ステムおよびキャップの直径は極めて大きい。
【０００９】
いくつかのメイクアップ製品では、ステムの直径を縮小することが望ましいと考えられる。このことは、精密な細かいメイクアップに目標を定める製品にとって、特に興味深いであろうと考えられる。
【先行技術文献】
【特許文献】
【００１０】
【特許文献１】米国特許出願公開第2011222955号
【発明の概要】
【発明が解決しようとする課題】
【００１１】
このことを踏まえて、本発明の目的は、さらに一層効率的に製造されることが可能であり、細長いステムを含み、細いキャップを含み、軽量で、人間工学的な、前述されているタイプの化粧デバイスを提供することである。
【課題を解決するための手段】
【００１２】
したがって、本発明は、開口部を画定している最上自由縁部を含む、製品のボトルと、ステムの第1の端部に配置されているハンドルを含む取外し可能なキャップとを含む、長手方向軸Xの化粧デバイスであって、ステムの第2端部が塗布部材に固定されており、ステムは、塗布部材がボトルから出現し得る開位置と、塗布部材がボトル内に格納される閉位置との間で、ボトル上に配置されている第2の補完レリーフに取外し可能に係合することができる第1のレリーフを含む、化粧デバイスに関する。
【００１３】
ステムおよびボトルにあるレリーフの位置のお蔭で、デバイスは製造しやすいばかりでなく、メイクアップ、特にマスカラの塗布をより容易にする長細いステムを消費者に提供することが可能である。そのような長細いステムは、レリーフがボトルおよびハンドルに配置された場合には不可能であった。
【００１４】
したがって、そのようなデバイスは、目に関してさえも、結果の改善のための新しいメイクアップのジェスチャを生み出すことを可能にする。
【００１５】
また、本発明は、化粧製品のボトル上に取り付けられるのに適した取外し可能なキャップであって、ステムの第1の端部に配置されているハンドルを含み、ステムの第2の端部が塗布部材に固定されており、第1のレリーフはステム上に配置されており、ボトルの第2の補完レリーフに機械的に係合することが可能である、取外し可能なキャップに関する。
【００１６】
また、本発明は、ステムの第1のレリーフをボトルの第2の補完レリーフ内にスナップ嵌めすることによる、本明細書に前述されている化粧デバイスの開放および閉鎖を含む、化粧方法に関する。
[注意すべき定義]
「軸A」は、長手方向軸Aを意味する。
「軸Aの部分の横断面」は、部分の軸Aに対して垂直な断面を意味する。「部分xの長手方向軸」という表現は、部分xの横断面の重心すべてをつなぐ線を表す。
「ハンドル」は、キャップの最上部を形成する把持部である。
【００１７】
本発明は、その非限定的実施形態を示す添付図面を参照してなされる以下の詳細な説明を読むと、よりよく理解されるであろう。
【図面の簡単な説明】
【００１８】
【図１】本発明によるデバイスの実施形態の斜視分解図である。
【図２】図1に示されているキャップの斜視組立図である。
【図３】閉位置にある、図1に示されているデバイスの斜視組立図である。
【図４】図1に示されているデバイスの上面図である。
【図５】図4に示されている、デバイスの軸A-Aにおける縦断面図である。
【図６】図4に示されている、デバイスの軸C-Cにおける縦断面図である。
【図７】図1に示されているリングの斜視図である。
【図８】図1に示されているステムの側面図である。
【発明を実施するための形態】
【００１９】
図1から図8は、長手方向軸Xを有する、本発明による化粧デバイスの実施形態を示す。そのようなデバイスは、一方でボトル2と、他方でキャップ4とを含み得る。ボトル2はリザーバ20とカラー3とを含み得る。キャップ4は、ステム5の第1の端部51に取り付けられるハンドル40を含んでいてもよく、ステム5の第2の端部52は塗布部材6に固定されている。
【００２０】
ボトル2およびキャップ4は、特にABS、PP、またはPET/PETGから作り出される熱可塑性プラスチック材料で作製され得る。ステム5はPBTで作製され得る。
【００２１】
ボトル2は、たとえばLDPEで作製されているワイパ9を装備され得る。
【００２２】
変形形態として、ボトルおよびキャップは、オーバーモールドまたはバイインジェクションを含む射出により作製されてもよい。
【００２３】
塗布部材6は、顔、唇、目、頬、またはケラチン繊維などの、身体上の塗布表面上に化粧製品を広げるために構成されている塗布手段を含み得る。この塗布部材6は、たとえば、スポンジ、パフ、ブラシ、またはコームから選択される。化粧デバイスはマスカラブラシまたはグロスアプリケータであり得る。
【００２４】
塗布部材6およびハンドル40はステム5に直接嵌合され、取り付けられ得る。そのような取付け手段の例が、たとえば、締付けスリーブ嵌合、スナップ嵌め、ねじ留め、結合、溶接、またはその他を含み得る。変形形態として、それらはステム5と一体で作製され得る。
【００２５】
図8において可視である通り、ステム5は、X軸に対して垂直にステムの外へ延在している第1のレリーフ29を含む。ボトル2上に配置されており、かつ開口部18を画定している、ボトル2の最上自由縁部8から延在していることが好ましい少なくとも第2の補完レリーフ310(図7)に機械的に係合することが可能である。
【００２６】
キャップ4は、バイオネットシステムにより、ボトル2上に取外し可能に取り付けられ得ることが有利である。それは、スナップ嵌めシステムまたはクリップ留めシステムであることも可能であると考えられる。
【００２７】
図において、ボトル2はソケット30を含む。
【００２８】
また、キャップ4は、ボトル2に対して回転することが可能にされていると同時に、このボトル2上にスナップ嵌めされ得る。
【００２９】
ボトル2はネック22を含み、第2のレリーフ310はネック22上に配置されることが好ましい。このように、デバイスを閉鎖し開放する動きは消費者にとってより容易になる。
【００３０】
一実施形態では、ボトル2は一体である。
【００３１】
別の実施形態では、ボトル2は、リザーバ1上に取り付けられるカラー3を含む。特に第2の補完レリーフ310がカラー3上に配置され得るため、封止領域はより製造しやすい。このように、第2のレリーフ310は、ボトル2と一体で作製されているネック上に直接配置されない。
【００３２】
ボトル2の第2のレリーフ310は陥凹部を含むことが有利である。陥凹部は切欠き、空洞部、穴部、空所、溝部、溝穴部、チャネルであり得る。ジェスチャは、次いで、ユーザにとってより簡単である。そのようなレリーフはボトル2と一対で作製され得る。
【００３３】
図7に示されている通り、ボトル2は、長手方向軸Xに関して互いに対称的に対向する、かつ長手方向軸Xに平行に延在している切欠きを画定している2つの第2のレリーフ310および311を含む。デバイスの閉鎖はきつい。その場合、ステムも2つの第1のレリーフ29および49を含む。
【００３４】
ボトル2の第2のレリーフ310および311は、高位置と低位置との間でX軸に平行な、ステム5の第1のレリーフ29および49の動きを誘導するのに適した滑動縁部320および321を含む滑動経路を画定している。この動きはユーザにとって極めて自然である。
【００３５】
ある実施形態では、滑動経路は、少なくとも2つの異なる一般的な方向にまたは外形で延在している滑動経路の2つの区域を含む。クロージャはよりきつく、ユーザにとって容易である。この場合、第1のレリーフ29および49は、それらが低位置に到達した後、最終的な位置に到達するために、X軸を中心として案内され得る。
【００３６】
それはまた、第3の滑動経路区域を含む。これらの区域は異なる方向および外形を有し得る。ある区域が、実質的に円形のまたは水平の滑動縁部を含み得る。この第2の区域は第3の区域に通じる可能性がある。ある区域が斜面を含み得る。斜面は、切欠きもしくは歯などの複数のまたは一連の凹凸を設けられていてもよいと考えられる。
【００３７】
ステム5の第1のレリーフ29および49は、ビーズ、歯、鉤爪、または突起などの突出部を含む。そのようなレリーフはステム5と一対で作製され得る。
【００３８】
図6は、ボトル2に対して低位置にあるステム5を示す。この位置では、突起29および49は、それらが切欠き310および311に対向している位置を占有し得る。この位置では、これらの突起29および49は通路のそれぞれの挿入端部と同じ高さに延在している。それらは、X長手方向軸に平行な滑動経路の端部で阻止される。
【００３９】
大きいキャップがねじ山でステムを覆っていないので、ステムの見かけの長さは既知のデバイスのものより長い。ステムおよびそのキャップは既知のデバイスに関してより素敵に見え、ステムおよび塗布部材6への良好なアクセス可能性をもたらす。キャップとステムとの間の直径の変化は既知のデバイスに関してより小さい。このことは、本発明によるデバイスに格好良い形状をもたらし、メイクアップはより容易になる。
【００４０】
デバイスを使用するために、ユーザは、一方でボトル2を握り、他方でキャップ4を手に取る。デバイスを閉鎖するために、ユーザは塗布部材6をボトル2内へ挿入し、突起29および49を切欠き310および311の真向かいに配置することができるように、ステムの位置を調節する。ユーザは、ステムを、ボトル2に関してその高位置からその低位置へ、切欠き310および311内へ案内する。次いで、ユーザは、ボトル2に対してキャップ4を回動させる。この回転運動は、ボトル2内に収容されている塗布部材6の固定回転運動を引き起こす。上記の教示を踏まえて、本発明の多数の修正形態および変形形態が可能であることは明らかである。
【００４１】
したがって、添付の特許請求の範囲の範囲内で、本発明が本明細書に具体的に記載されているものとは別の方法で実践され得ることが理解されるべきである。
【００４２】
特に、レリーフの上方に、それらの接触を向上させるために、プレートが取り付けられてもよい。また、これは、プレートとレリーフとの間の距離が与えられるので、クリッククロージャを保証する。
【符号の説明】
【００４３】
1、20  リザーバ
2  ボトル
3  カラー
4  キャップ
5  ステム
6  塗布部材
8  (ボトル2の)最上自由縁部
9  ワイパ
18  開口部
22  ネック
29、49  第1のレリーフ、突起
30  ソケット
40  ハンドル
51  (ステム5の)第1の端部
52  (ステム5の)第2の端部
310、311  第2の補完レリーフ、切欠き
320、321  滑動縁部
X  長手方向軸
【図１】
0006922083.tif 000002
【図２】
0006922083.tif 000003
【図３】
0006922083.tif 000004
【図４】
0006922083.tif 000005
【図５】
0006922083.tif 000006
【図６】
0006922083.tif 000007
【図７】
0006922083.tif 000008
【図８】
0006922083.tif 000009